(57)【要約】【課題】コンパクトに折畳み可能な折畳みベッドを提供する。【解決手段】上半身側を載せる第１のマット体２と、下半身側を載せる第２のマット体３と、腰部を載せる中のマット体４と、上側を開放して開口部を設けた平面矩形の基枠５とを含む折畳みベッド１である。第１のマット体２及び第２のマット体３は、基枠の向き合う２辺に枢支されることにより各マットを基枠５の両側で上に向けて就寝高さに展開可能しかも反転により各マットを下に向けて基枠５内に収納される。また、第１のマット体２及び第２のマット体３は基枠５内で折り重ね可能に収納される。中のマット体４は、基枠５の前記２辺と直角な辺の一方に、基枠５の開口部を開閉可能に枢支される。【選択図】図１
0003134261.tif 000002
【実用新案登録請求の範囲】
【請求項１】
上半身側を載せるマットを有しかつこのマットを受ける第１の受け枠を有する第１のマット体と、
下半身側を載せるマットを有しかつこのマットを受ける第２の受け枠を有する第２のマット体と、
腰部を載せるマットを有しかつこのマットを受ける中の受け枠を有する中のマット体と、
上側を開放して開口部を設けた平面矩形の基枠とを含み、
前記第１のマット体及び第２のマット体は、その第１の受け枠及び第２の受け枠それぞれの一端側が、前記基枠の向き合う２辺にかつ各他端側を基枠から離れる向きに展開することにより各マットを基枠の両側で上に向けて就寝高さに展開可能しかも反転により各マットを下に向けて前記開口部から基枠内に収納可能に枢支されるとともに、
前記第１の受け枠と前記第２の受け枠の前記枢支の高さを変えることにより、
前記第１のマット体及び第２のマット体は前記基枠内で折り重ね可能に収納される一方、  前記中のマット体は、前記基枠の前記２辺と直角な辺の一方に、前記開口部を開放可能かつ前記マットを上に向けて就寝高さで前記基枠に載置されることにより前記開口部を閉止可能に枢支されることを特徴とする折畳みベッド。
【請求項２】
前記基枠は、４隅の支柱と、前記２辺で前記支柱を継ぎ前記第１の受け枠及び第２の受け枠の各一端側を枢支する第１の横の支軸及び第２の横の支軸を含み、かつ
前記第１の横の支軸及び第２の横の支軸の高さを変えることにより、第１の受け枠及び第２の受け枠の前記枢支の高さを変えたことを特徴とする請求項１記載の折畳みベッド。
【請求項３】
前記第１のマット体及び第２のマット体は、前記基枠内で実質的に水平かつ互いに平行に折り重ねられる請求項１又は２記載の折畳みベッド。
【請求項４】
前記記第１の受け枠及び第２の受け枠には、前記展開状態で各受け枠を支持する折り畳み可能な脚部が設けられる請求項１乃至３のいずれかに記載の折畳みベッド。
【請求項５】
前記中のマット体は、保持手段により前記開口部の開放状態にて立てて保持されることを特徴とする請求項１乃至４のいずれかに記載の折畳みベッド。
【請求項６】
前記第１のマット体、第２のマット体及び中のマット体は、同一の就寝高さに展開される請求項１乃至５のいずれかに記載の折り畳みベッド。
【考案の詳細な説明】
【技術分野】
【０００１】
本考案は、平面矩形の基枠の両側に設けられたマット体を、前記基枠内に折り重ねて収納することによりコンパクトに折畳み可能な折畳みベッドに関する。
【背景技術】
【０００２】
従来、例えば図９に示されるように、逆Ｖ字状に２つ折り可能な折畳みベッドが提案されている（例えば、下記特許文献１参照）。該折畳みベッドは、例えば、ベッドのほぼ半分の長さを有しかつ折畳み可能に連結された第１及び第２のベッド枠体ａ、ａと、各第１、第２のベッド枠体ａ、ａの両端側に設けられたキャスタ輪ｃを有する脚部材ｂとを具えて構成される。このような折畳みベッドは、水平な展開状態で使用される一方、未使用時は２つに折り畳んで狭いスペース等に収納できる。
【０００３】
【特許文献１】特開２００４−３５８２０３号公報
【考案の開示】
【考案が解決しようとする課題】
【０００４】
しかしながら、上述の折畳みベッドは、例えば折畳み状態が不完全な場合、ベッド枠体ａが自然に展開状態に移動する場合があった。また、折り畳んだ状態でのさらなる小型化が望まれていた。
【０００５】
本考案は、以上のような問題点に鑑み案出なされたもので、平面矩形の基枠の両側に設けられたマット体を前記基枠内に折り重ねて収納することを基本として、ベッド枠の自然な展開移動を抑制するとともに、より小さくかつ小高さに折畳み可能な折畳みベッドを提供することを主たる目的としている。
【課題を解決するための手段】
【０００６】
本考案のうち請求項１記載の考案は、上半身側を載せるマットを有しかつこのマットを受ける第１の受け枠を有する第１のマット体と、下半身側を載せるマットを有しかつこのマットを受ける第２の受け枠を有する第２のマット体と、腰部を載せるマットを有しかつこのマットを受ける中の受け枠を有する中のマット体と、上側を開放して開口部を設けた平面矩形の基枠とを含み、前記第１のマット体及び第２のマット体は、その第１の受け枠及び第２の受け枠それぞれの一端側が、前記基枠の向き合う２辺にかつ各他端側を基枠から離れる向きに展開することにより各マットを基枠の両側で上に向けて就寝高さに展開可能しかも反転により各マットを下に向けて前記開口部から基枠内に収納可能に枢支されるとともに、前記第１の受け枠と前記第２の受け枠の前記枢支の高さを変えることにより、前記第１のマット体及び第２のマット体は前記基枠内で折り重ね可能に収納される一方、前記中のマット体は、前記基枠の前記２辺と直角な辺の一方に、前記開口部を開放可能かつ前記マットを上に向けて就寝高さで前記基枠に載置されることにより前記開口部を閉止可能に枢支されることを特徴とする折畳みベッドである。
【０００７】
また請求項２記載の考案は、前記基枠は、４隅の支柱と、前記２辺で前記支柱を継ぎ前記第１の受け枠及び第２の受け枠の各一端側を枢支する第１の横の支軸及び第２の横の支軸を含み、かつ前記第１の横の支軸及び第２の横の支軸の高さを変えることにより、第１の受け枠及び第２の受け枠の前記枢支の高さを変えたことを特徴とする請求項１記載の折畳みベッドである。    
【０００８】
また請求項３記載の考案は、前記第１のマット体及び第２のマット体は、前記基枠内で実質的に水平かつ互いに平行に折り重ねられる請求項１又は２記載の折畳みベッドである。
【０００９】
また請求項４記載の考案は、前記記第１の受け枠及び第２の受け枠には、前記展開状態で各受け枠を支持する折り畳み可能な脚部が設けられる請求項１乃至３のいずれかに記載の折畳みベッドである。
【００１０】
また請求項５記載の考案は、前記中のマット体は、保持手段により前記開口部の開放状態にて立てて保持されることを特徴とする請求項１乃至４のいずれかに記載の折畳みベッドである。
【００１１】
また請求項６記載の考案は、前記第１のマット体、第２のマット体及び中のマット体は、同一の就寝高さに展開される請求項１乃至５のいずれかに記載の折り畳みベッドである。
【考案の効果】
【００１２】
本考案の折畳みベッドは、中のマット体を載置する平面矩形の基枠内に、第１のマット体及び第２のマット体を折り重ねて収納できる。つまり、ベッドをいわゆる３つ折りで折畳むことができるので、２つ折りの従来の逆Ｖ字状の折畳みベッドに比べて、折畳み状態がより小型化される。
【００１３】
また、本考案の折畳みベッドは、第１及び第２のマット体が平面矩形の基枠の中へ折り重ねて収納される結果、従来のように、逆Ｖ字状に折り畳まれたベッド枠体が自然に水平状態に展開するといったことが無い。従って、より確実に折畳み状態が保持され得る。
【考案を実施するための最良の形態】
【００１４】
以下、本考案の実施の一形態が図面に基づき説明される。
図１は、本実施形態の折畳みベッド（以下、単に「ベッド」ということがある。）１の展開状態における全体斜視図、図２はマットを取り外した展開状態の平面図、図３はその正面図及び図４はその左側面図をそれぞれ示す。
【００１５】
本実施形態の折畳みベッド１は、図１に示されるように、第１のマット体２と、第２のマット体３と、展開状態において前記第１のマット体２と第２のマット体３との間に配される中のマット体４と、該中のマット体４を載置する基枠５とを含んで構成される。そして、本実施形態の折畳みベッド１は、展開状態において、各マット体２ないし４の上面（寝台面）が実質的に同一の就寝高さ（水平高さ）でベッド長さ方向Ｙで連続するように展開配置される。
【００１６】
本実施形態において、前記第１のマット体２は、ベッド１上に横たえる使用者の上半身側を載せることができる平面視略矩形状のなす第１のマット２ａと、この第１のマット２ａを受ける第１の受け枠２ｂと、この第１の受け枠２ｂに例えば蝶番等を介して回動可能に枢着された第１の脚部２ｃとから構成される。
【００１７】
また、第２のマット体３は、前記使用者の下半身側を載せることができる平面矩形かつ本実施形態では第１のマット２ａと実質的に同形状かつ同厚さの第２のマット３ａと、この第２のマット３ａを受ける第２の受け枠３ｂと、この第２の受け枠３ｂに例えば蝶番等を介して回動可能に枢着された第２の脚部３ｃとから構成される。
【００１８】
前記第１の受け枠２ｂ及び第２の受け枠３ｂは、例えば金属製のパイプ材等を各マット２ａ、２ｂの下部又は内部で縦横に配し格子状に構成される。具体的には、図２に示されるように、各受け枠２ｂ及び３ｂは、それぞれのマット体の輪郭に沿ってのびる矩形状の外枠部ｇ１と、該外枠部ｇ１内を縦横にのびる複数の桟材ｇ２とから構成されている。これにより、第１及び第２のマット２ａ、３ａに作用する荷重をバランス良く支え、該マットの折れ曲がりなどを防止しうる。なお図示していないが、マットをより安定性良く支えるために、第１の受け枠２ｂ及び第２の受け枠３ｂには、金属製のパイプ材以外の各種の部材、例えばウッド型スプリングやメッシュ材などを含ませても良い。
【００１９】
さらに、第１の受け枠２ｂの一端側Ｓ１及び第２の受け枠３ｂの一端側Ｓ１は、それぞれ平面矩形をなす前記基枠５の向き合う２辺に回動自在に枢支される。これについては後述する。
【００２０】
前記第１の脚部２ｃ及び第２の脚部３ｃは、図１、図３及び図４に示されるように、展開状態においてほぼ上下にのびる一対の縦部材ｆ１、ｆ１と、この縦部材ｆ１間を継いで水平にのびる水平材ｆ２とからなる略Ｈ字状のフレーム枠で形成されている。但し、この形状に限定されるものではない。
【００２１】
前記第１の脚部２ｃ及び第２の脚部３ｃは、図１及び図３に示されるように、第１の受け枠２ｂ及び第２の受け枠３ｂの各他端Ｓ２側に前記縦部材ｆ１の上端が回動自在に枢支される。そして、各脚部２ｃ及び３ｃは、図３に実線で示されるように、展開状態において第１の受け枠２ｂ及び第２の受け枠３ｂを水平な状態に支え得る一方、同図において仮想線で示されるように、ベッド幅方向に沿った水平な枢軸周りで回動することにより各マット２ａ又は３ａと平行な状態に折り畳みできる。なお、各脚部２ｃ及び３ｃには、例えば前記展開及び折り畳みの各状態を実質的に保持しうるラッチなどの保持機構などが設けられても良い。
【００２２】
前記中のマット体４は、本実施形態のベッド１上に横たわる使用者の腰部を載せることができる平面矩形状の中のマット４ａと、この中のマット４ａを受ける中の受け枠４ｂとから構成されている。中の受け枠４ｂも、第１及び第２の受け枠２ｂ及び３ｂと同様に、金属製のパイプ材等で構成され、本実施形態では矩形状をなす外枠部ｇ３と、この外枠部ｇ３内を縦横にのびる複数の桟材ｇ４とで略格子状に構成される。これにより、中の受け枠４ｂは、中のマット４ａに作用する荷重をバランス良く支持することができる。また、中の受け枠４ｂにもウッド型スプリングなどを適宜含ませても良いのは言うまでもない。なお、本実施形態の中の受け枠４ｂには、その外枠部ｇ３のベッド長さ方向にのびる枠材の一方に、取っ手１４が取り付けられている。
【００２３】
図５には本実施形態の折畳みベッド１の収納状態（折畳み状態）の正面図、図６には折り畳み途中の斜視図、図７には基枠と各マット体２ないし４との連結状態を説明する分解斜視図がそれぞれ示される。前記基枠５は、平面視において矩形をなし、本実施形態ではその４隅に配されかつ垂直方向にのびる支柱６を有する。
【００２４】
前記支柱６の下部側には、矩形に配された継ぎ材７によって連結されるとともに、基枠５の底部を閉じる底板８が固着される。他方、基枠５上側には、開放された開口部Ｏが設けられる。そして、展開状態において、該開口部Ｏから前記底板８までは略直方体状をなす収容空間Ｓが形成される。なお、本実施形態では、理解しやすいように、基枠５の側面を開放させているが、該側面を適宜化粧板などで覆っても良いのは言うまでもない。また、前記開口部Ｏは、第１及び第２の受け枠２ｂ及び３ｂの外枠部ｇ１の輪郭寸法よりも大きく形成される。
【００２５】
また基枠５には、ベッド幅方向Ｘ（図１に示す）にのびるとともに前記第１のマット体２側の支柱６、６間に架け渡された第１の横の支軸９と、ベッド幅方向Ｘにのびる（つまり、第１の横の支軸９と平行にのびる）とともに前記第２のマット体３側の支柱６、６間に架け渡された第２の横の支軸１０とが設けられる。前記各横の支軸９及び１０は、図７に示されるように、ボルトＢ１によって前記支柱６に回動自在に枢支される。さらに、基枠５には、ベッドの両側部に配されかつ前記支柱６、６間をベッド長さ方向Ｙ（図１に示す）にのびて継ぐ縦の枠材１２、１２が設けられる。
【００２６】
図３及び図７に示されるように、第２の横の支軸１０は、基枠５の前記支柱６の上端部で枢支されており、この第２の横の支軸１０には、第２の受け枠３ｂがボルトＢ３によって固着される。具体的には、第２の受け枠３ｂの矩形の外枠部ｇ１の一辺が第２の横の支軸１０と平行に固着される。これにより、第２のマット体３は、第２の横の支軸１０を回転軸として回動できる。さらに、第２の受け枠３ｂは、図３に示されるように、第２の脚部３ｃで支えられてマット３ａが基枠５よりも外側に張り出しかつ実質的に水平となる展開状態と、第２の横の支軸１０を中心として反転させることにより、第２のマット２ａを下に向けかつ前記開口部Ｏから基枠５の内部（前記収容空間Ｓ）に収納される収納状態との間を移動自在に枢支される。
【００２７】
また、第１の横の支軸９は、図３に示されるように、第２の横の支軸１０よりもｈ（≠０）だけ低い位置で回動自在に枢支されている。つまり、第１の横の支軸９及び第２の横の支軸１０は、高さを変えて設けられる。本実施形態では、この高さの差ｈは、脚部３ｃを折り畳んだ状態での第２のマット体３の厚さＴのほぼ１／２に設定されている。さらに、第１の横の支軸９には、第１の受け枠２ｂが固着される。従って、第１のマット体２は、第１の横の支軸９を回転軸として回動できる。具体的には、第１の受け枠２ｂは、図３に示されるように、第１の脚部２ｃで支えられることにより第１のマット２ａが基枠５から張り出して実質的に水平となる展開状態と、第１の横の支軸９を中心として反転させることにより、第１のマット２ａを下に向けかつ前記開口部Ｏから基枠５の内部（前記収容空間Ｓ）に収納される収納状態との間を移動自在に枢支される。
【００２８】
しかも、第１の受け枠２ｂの回動中心となる第１の横の支軸９は、第２の受け枠３ｂの回動中心となる第２の横の支軸１０よりも低い位置に設けられるので、反転させた状態では、第１のマット体２は第２のマット体３の下側に位置できる。しかも前記高さの差ｈを上述のように調整することにより、図５に示されるように、第１のマット体２と第２のマット体３とを基枠５内でともに略水平としかつ上下に折り重ねて収納できる。なお、第１のマット２及び第２のマット３は、必ずしも平行で重ねる必要はないが、本実施形態のように、基枠５の収容空間Ｓにおいて、第１のマット体２及びマット体３を実質的に平行として折り重ねた場合にはそのときの重なり厚さを最小とし、よりコンパクトにベッド１を構成しうる点で望ましい。
【００２９】
なお、本実施形態では、低所に設けられた第１の横の支軸９に固着された第１のマット体２を、第２のマット体３よりも先に基枠５に収容する必要がある。また、前記基枠５の底板８は、第１のマット体２を基枠５内に収容したときに、該第１のマット体２を実質的に水平状態として保持しうる高さに設けられるのが望ましい。
【００３０】
また、折畳みベッド１の展開状態では、各マット２ないし４の就寝高さを実質的に面一とするためにに、第１の横の支軸９と、第１の受け枠３ｂの矩形の外枠部ｇ１とは、第１の横の支軸９の長手方向と直交する向きにのびる継ぎ金物１１を介しかつボルトＢ２により固着される。即ち、継ぎ金物１１の垂直方向成分の長さは、図３に示されるように、第１の横の支軸９と第２の横の支軸１０との高さの差ｈと等しい。前記継ぎ金物１１は、図７に示されるように、第１の横の支軸９に固着されかつその長手方向と直交する向きにのびるアーム部１１ａと、該アーム部１１ａの先端に設けられた受け金具１１ｂとを有する。そして、この受け金具１１ａにボルトＢ２を用いて第１の横の支軸９が固着される。
【００３１】
前記中のマット体４は、基枠５の第１及び第２の横の支軸９、１０と直角な辺の一方に、枢支される。本実施形態では、ベッド１の一方の側部かつベッド長さ方向で並ぶ支柱６、６の上端部にそれぞれベッド長さ方向にのびる軸を支持し得る軸受片１３が設けられるとともに、中の受け枠４ｂの外枠部ｇ３のうち、ベッド長さ方向にのびるとともに前記取っ手１４が設けられていない枠材の両端が、ボルトＢ４などを用いて軸受片１３に回動自在に枢支される。従って、前記展開状態の中のマット体４は、取っ手１４を把持して引き上げられることにより、ボルトＢ４を実質的な支軸として回動でき、ひいては図６に示されるように、基枠５の開口部Ｏを開放させることができる。
【００３２】
なお、中のマット体４は、前記基枠５の開口部Ｏを開放状態には、反転させてマットを下向きとして床面に載置されても良い。しかし、本実施形態中のマット体４は、保持手段１５により開口部Ｏの開放状態にて立てて保持される。
【００３３】
図８（ａ）には前記保持手段１５の一例が示される。本実施形態の保持手段１５は、前記軸受片１３の外面に、前記ボルトＢ４の軸中心と同心円状の円筒面を有する円弧状の切り欠き溝１５ａと、前記中の受け枠４ｂに設けられるとともに前記切り欠き溝１５ａの前記円筒面に接触して移動しうるスライド部材１５ｂとを含んで構成される。
【００３４】
前記切り欠き溝１５ａには、中のマット体４を起立させたときに前記スライド部材１５ｂの移動を規制しうる終端面Ｋが設けられる。従って、スライド部材１５ｂは、図８（ｂ）に示される中のマット体４の水平状態から、同図（ｃ）に示される終端面Ｋまでの移動範囲でのみ回動できる。また、中の受け枠４ｂに設けたスライド部材１５ｂが切り欠き溝１５ａの終端面Ｋに当接しかつ寄りかかることにより、中のマット体４の開口部Ｏを開放させる向きのさらなる回動が規制されるとともに、その起立状態が保持される。特に限定されるわけではないが、中のマット体４を水平面に対して９５゜よりも大、より好ましくは１００゜以上の角度θ（図６に示す）でその回動を規制するのが望ましい。前記角度θが小さすぎると、中のマット体４の重量が十分に終端面Ｋに作用せず、ひいては中のマット体４が自然に開口部Ｏを閉止する向きに回動するおそれがある。
【００３５】
他方、中のマット体４は、その受け枠４ｂの一部が基枠５の上面（例えば縦の枠材１２や第２の横の支軸１０）と当接することにより支持され、その水平状態が保たれる。従って、切り欠き溝１５ａに、中のマット体４の開口部Ｏを閉止する向きの回動を規制する終端面を特に設ける必要はない。
【００３６】
また、上記実施形態では、切り欠き溝１５ａとスライド部材１５ｂとからなる保持手段１５が示されたが、保持手段はこのような具体的な態様に限定されるものではなく、中のマット体４の起立状態を保つためのものであれば、拘束位置付のヒンジやラチエット機構、さらには取り外し自在なチェーンや紐などを用いて拘束することもできる（いずれも図示省略）。
【００３７】
また、本実施形態では、基枠５の底部に、キャスター輪１７が設けられる。該キャスター輪１７は、前記中の受け枠４ｂに設けられた取っ手１４と反対側のベッドの側縁側にベッド長さ方向に並べて配置される。なお、取っ手１４が設けられた側にはキャスター輪１７は設けられていることなく、単に床面と当接する脚として構成される。なお、該キャスター輪１７は、ベッドの安定性を高めるために、ストッパー機能付きのものが好適である。
【００３８】
以上のように構成された本実施形態の折畳みベッド１について、展開状態から収納状態への折り畳む手順を述べる。ベッド使用者は、図１に示す展開状態から、例えば取っ手１４を把持して中のマット体４を持ち上げることにより、基枠５の開口部Ｏの上方を開放させる。この際、前記保持手段１５により、中のマット体４は起立状態に保たれる。従って、中のマット体４を支えていなくても、基枠５の開口部Ｏの開放状態が保たれるので利便性が良い。
【００３９】
次に、第１のマット体２を、基枠５側に回動させる。これにより、第１のマット体２は反転し、その第１のマット２ａを下に向けて前記開口部Ｏから基枠５の収容空間Ｓに収納される。この際、本実施形態では、第１のマット２ａが基枠５の底板８で支持されて略水平状態に保たれる。また、このような第１のマット体２の反転に伴い、その第１の脚部２ｃは第１の受け枠２ｂに沿うよう折り畳まれる。
【００４０】
次に、第２のマット体３を、基枠５側に回動させる。これにより、第２のマット体３は反転し、その第２のマット３ａを下に向けて前記開口部Ｏから基枠５の収容空間Ｓに収納される。この際、本実施形態では、第２のマット体３は、実質的に水平かつ第１のマット体２の上に折り重ねられる。また、第２のマット体３の反転に伴い、第２の脚部３ｃは、第２の受け枠３ｂに沿うよう折り畳まれる（図６参照）。
【００４１】
本実施形態において、第１のマット２ａ及び第２のマット３ａのベッド巾方向Ｘの長さは、基枠５の開口部の３のベッド巾方向Ｘの長さとほぼ同一か又はこれよりも僅かに大きく構成されているが、各受け枠２ｂ及び３ｂの幅及び長さは、それぞれ基枠５の開口部Ｏの幅及び長さよりも小さく形成される。従って、各マット体２及び３は、それぞれのマット２ａ及び３ａを適宜圧縮変形させることにより、基枠５の開口部Ｏを通過させることができる。
【００４２】
第１及び第２のマット体２及び３がともに基枠５の収容空間Ｓに収納された後、起立させた中のマット体４を回動させて水平な状態へと戻す。これにより、基枠５の開口部Ｏが閉止される。なお、基枠５の前記収容空間Ｓは、２つのマット体２及び３を収めうる十分な高さを具えているので、中のマット体４は、第１及び第２のマット体２及び３と干渉することなく開口部Ｏを閉止しうる。
【００４３】
これにより、ベッド１の収納状態が得られる。即ち、本実施形態の折畳みベッド１は、図５に示したように、中のマット体４の下方の空間、即ち該中のマット体４が載置される平面矩形の基枠５内に、第１のマット体２及び第２のマット体３を折り重ねて収納できる。つまり、ベッドを３つ折りに畳むことができるので、２つ折りの従来の逆Ｖ字状の折畳みベッドに比べて、折畳み状態がより小型化される。
【００４４】
また、折り畳まれたベッド１は、例えば前記取っ手１４を持ち、基枠５のキャスター輪１７の設けられていない側を少し浮かせることにより、キャスター輪１７を利用して自在かつ軽微な力で移動させることができる。
【００４５】
なお、ベッド１を展開する際には、前記とは逆の動作、即ち、中のマット体４を持ち上げて起立状態に保持した後、第２のマット体３及び第１のマット体４を適宜回動させて開口部Ｏから外に移動させて展開し、かつ、それぞれの脚部２ｃ及び３ｃを引き出すとともに、中のマット体４を下ろして開口部Ｏを閉止するように基枠４上に載置させる。これにより、第１のマット体２、中のマット体４及び第２のマット体３は、同一かつ就寝高さに連続して並べて保持され得る。
【００４６】
以上本考案の実施形態について説明したが、本実施形態の折畳みベッド１は、例えば図５の折り畳み状態では、そのマット部を座面とした椅子として利用できるのは言うまでもない。また、上記実施形態の高さの差ｈなどの寸法は、適宜変更しうるのは言うまでもない。
【図面の簡単な説明】
【００４７】
【図１】本実施形態の折畳みベッドの展開状態の全体斜視図である。
【図２】そのマットを取り外した状態の平面図である。
【図３】図２の正面図である。
【図４】図３の左側面図である。
【図５】本実施形態の折畳みベッドの折畳んだ状態の正面図である。
【図６】折り畳み途中のベッドを示す斜視図である。
【図７】基枠と各マット体ないしとの連結状態を説明する分解斜視図である。
【図８】（ａ）は保持手段の側面図、（ｂ）及び（ｃ）はその作用を説明する部分斜視図である。
【図９】従来の折畳みベッドの正面図である。
【符号の説明】
【００４８】
１  折畳みベッド
２  第１のマット体
２ａ  第１のマット
２ｂ  第１の受け枠
２ｃ  第１の脚部
３  第２のマット体
３ａ  第２のマット
３ｂ  第２の受け枠
３ｃ  第２の脚部
４  中のマット体
４ａ  中のマット
４ｂ  中の受け枠
５  基枠
Ｏ  開口部
【図１】
0003134261.tif 000003
【図２】
0003134261.tif 000004
【図３】
0003134261.tif 000005
【図４】
0003134261.tif 000006
【図５】
0003134261.tif 000007
【図６】
0003134261.tif 000008
【図７】
0003134261.tif 000009
【図８】
0003134261.tif 000010
【図９】
0003134261.tif 000011